(57)【要約】      （修正有）【課題】犬の放尿がトイレ器具に敷いたトイレシート上でトイレシートからはみ出すこと無く排泄されるように前肢を誘導する構造の室内犬用トイレ器具を提供する。【解決手段】室内犬用トイレ器具であり、三方は犬が越えられない高さの壁を有し、残り一方は犬の入り口開口部として、犬の跨ぎ易い高さの壁を有するトレーと、トイレシート上に、犬がトイレシートからはみだすこと無く確実に放尿できる位置に前肢を置くための跨ぎ台と、ヒンジ等によりトレー開口部外側に接続され、トイレシートがずれることなく敷き易い、回転可能なトイレシート抑え板を有する。【選択図】図１
0003186850.tif 000002
【実用新案登録請求の範囲】
【請求項１】
トイレシートが敷設された方形状トイレの三方は、犬が越えられない高さの壁を有し、
前記方形状トイレの残りの一方は、犬の入り口開口部として、犬の跨ぎ易い高さの壁を有するトレーと、前記トイレシート上に、犬が前記トイレシートからはみだすこと無く確実に放尿できる位置に前肢を置くための跨ぎ台と、ヒンジによりトレー本体開口部外側に接続され、前記トイレシートがずれることなく敷き易い、回動可能なトイレシート抑え板とを有することを特徴とする室内犬用トイレ器具。
【請求項２】
前記跨ぎ台は犬の前肢から後肢までの長さに対応し、トレー入り口開口部から内側に一歩目の跨ぎ幅を設定している請求項１に記載の室内犬用トイレ器具。
【請求項３】
前記ヒンジに代えて、弾性部材で前記トイレシート抑え板が係合されている請求項１又は２に記載の室内犬用トイレ器具。
【請求項４】
前記トイレシート抑え板上に敷設されているトイレシートが、前記トイレシート抑え板の端を挟んで折り曲げられている請求項１乃至３のいずれかに記載の室内犬用トイレ器具。
【考案の詳細な説明】
【技術分野】
【０００１】
本考案は室内犬用トイレ器具に関し、特に三方は犬が越えられない高さの壁を有し、残り一方は犬の入り口開口部として、犬の跨ぎ易い高さの壁を有するトレーと、トイレシート上に、犬がトイレシートからはみだすこと無く確実に放尿できる位置に前肢を置くための跨ぎ台と、ヒンジによりトレー本体開口部外側に接続され、トイレシートがずれることなく敷き易い、回転可能なトイレシート抑え板を有する室内犬用トイレ器具に関する。
【背景技術】
【０００２】
従来、市販されている室内犬用トイレ器具においては、その上に敷いたトイレシート上に確実に尿が排泄されず、トイレシートからはみ出て、トイレ器具や、トイレ器具を置いてある床上等の周辺に尿がかかることがあり、犬の放尿後、トイレシートを替えるだけでなくトイレ器具や周辺床の掃除が必要となることが多々あった。それは前肢をトイレシートに載せたらすぐ放尿するという多くの犬の特色がもたらせる結果である。
【０００３】
そこで、特許文献1（実開平６−８４８４３号公報）及び市販の犬用室内トイレ器具の中には、単にトレーばかりでなく、トイレ器具の三方を高い壁にし、一方のみ壁が無い構造で、犬がトイレ器具に入る方向を規制したり、誘導するタイプのものがある。しかし、これでも壁のない開口部から前肢が入ってすぐ放尿を始め、トイレ器具内のトイレシート上に確実に尿が排泄される確率は高くない。犬はトイレ器具に四肢共入れて用を足す場合もあるが、トイレ器具のすぐ内側に前肢のみ入れて尿をすることが多い。その場合は、尿がトイレ器具内のトイレシートに届かないので、床上に排泄することになる。その解決手段として、トイレシートをトイレ器具から外の床上に伸ばして敷くことになるが、しかしこの場合は、犬が外の床上にまで伸ばして敷いたトイレシートの上に前肢を置くとすぐ放尿を始めるので、尿はトイレシートに届かず床上にかかることになる。結局、トイレシートを継ぎ足し、結果どんどんトイレ部分が広くなるという悪循環を繰り返すことになる。
【０００４】
犬用トイレ器具において、犬の放尿場所は前肢の位置で決まるので、前肢の位置を正しい場所に置くように誘導する構造を設ける必要がある。犬は、大便はしっかり意識して、トイレ器具内に入り場所決めをするが、回数の多い小便は簡単に済ませる傾向が見られ、トイレ器具内に四つ足全部を入れて排尿することは少ない。
【先行技術文献】
【特許文献】
【０００５】
【特許文献１】実開平６−８４８４３号公報
【考案の概要】
【考案が解決しようとする課題】
【０００６】
本考案は、上記実情に鑑み、その目的とするところは、犬の放尿がトイレ器具に敷いたトイレシート上でトイレシートからはみ出すこと無く排泄されるように前肢を誘導する構造の犬用トイレ器具を提供することにある。
【課題を解決するための手段】
【０００７】
本考案の上記目的は、三方は犬が越えられない高さの壁を有し、残り一方は犬の入り口開口部として、犬の跨ぎ易い高さの壁を有するトイレ器具トレーａと、トイレシート上に、犬がトイレシートからはみだすこと無く確実に放尿できる位置に前肢を置くための跨ぎ台ｂと、ヒンジ等によりトレー開口部外側に接続され、トイレシートがずれることなく敷き易い、回転可能なトイレシート抑え板ｃを有することを特徴とする室内犬用トイレ器具を提供とすることによって達成される。また、その上記目的は、跨ぎ台は犬の前肢から後肢までの長さに対応し、トレー入り口開口部から内側に一歩目の跨ぎ幅を設定したことを特徴とする室内犬用トイレ器具を提供することによって達成される。
【０００８】
本考案はトイレ器具トレー、跨ぎ台、トイレシート抑え板から構成されるシンプルな構造である。跨ぎ台の位置はトレー入り口のすぐ外側のトイレシート抑え板上に敷かれたトイレシート上に尿がはみ出ることなく排尿される時の後ろ足の位置から、前肢の置かれる位置が、決まってくるので、その位置に前肢が来るようにトレーの入り口から入り口内側に一足で跨げる跨ぎ台を設ける。前記跨ぎ台は犬の個体に合わせ、犬が容易に跨ぎ易い高さと幅で決めるが。幅は犬の個体差により跨ぎ台天板の幅を変えて設置できるものとする。トレー入り口のすぐ外側に尿が排泄されるので、その場所にトイレシートが敷きやすいようにトレー入り口外側に、トレーからの幅を犬の個体差によって決めたトイレシート抑え板をヒンジで設置する。
【考案の効果】
【０００９】
上記のとおり構成された本考案に係る室内犬用トイレ器具によれば、前肢を誘導する跨ぎ台と、ヒンジによりトレー開口部外側に接続されているので、トイレシートがずれることなく敷き易い、回転可能なトイレシート抑え板を有することにより犬がトイレシートからはみだすこと無く確実に放尿できる。
【図面の簡単な説明】
【００１０】
【図１】排尿時の犬の位置を示す図であり、（Ａ）は適正な排尿位置を、（Ｂ）は不適正な排尿位置を示す。
【図２】室内犬用トイレ器具に市販トイレシートを敷いた状態を示す平面図である。
【図３】跨ぎ台を設置した状態のトイレ器具全体を示す斜視図である。
【図４】トレー（ａ）の斜視図である。
【図５】跨ぎ台（ｂ）の斜視図である。
【図６】トイレシート抑え板（ｃ）の斜視図である。
【考案を実施するための形態】
【００１１】
以下、本考案の好ましい実施形態について、添付図面を参照しながら説明する。
【００１２】
図１（Ａ）は、犬の適正な排尿位置を示し、跨ぎ台内側に前肢を置くと、体形から尿道口の位置が決まるので、トイレシート抑え板上に敷いたトイレシート上に尿がはみ出る事なく排尿される。図１（Ｂ）は、犬の不適正な排尿位置を示し、跨ぎ台が無く、トレーａの壁のすぐ内側に前肢を置くと、尿はトレーａ入り口から外側かなり手前に排尿されるので、トレーシートはトレーａ入り口から外にかなり手前まで敷く必要があるが、トレーシートがトレーａ入り口から長く敷かれると、今度は犬は前肢だけトレーａ入り口外側のトレーシートに置いて排尿することになり、排泄された尿は更にトレーａ入り口より離れていき、トレーシートからはみ出ることとなり、トレーシートを敷く範囲が更に広がることとなる。
【００１３】
本考案に係る室内犬用トイレ器具は方形状のトレーａを有し、三方は犬が越えられない高さの壁を備えており、残りの一方が入り口となっている。入り口には跨ぎ台ｂが配置されると共に、その外側にトイレシート抑え板ｃが配設されている。
【００１４】
第１実施例では、犬種の体長、即ち、前肢付け根から後肢付け根までの長さにより跨ぎ台の幅は決定され、四肢起立時の床から胸までの高さのおよそ１/２の長さが跨ぎ台の高さを決定するので、体長４３０ｍｍ、体高３３０ｍｍのフレンチブルドッグの場合は跨ぎ台幅は７５ｍｍで跨ぎ台高さは５０ｍｍが最適であり、その場合トイレシート抑え板の長さは尿道口の位置と関連し、尿噴射角度は水平からおよそ３０から６０度以内なので１３０ｍｍから１５０の幅のなかで決定される。
【００１５】
図２は本考案のトイレ器具に市販トイレシート（小サイズ２枚、大サイズ２枚）を敷いた状態を示す。
【００１６】
トイレシート抑え板ｃ上に敷くトイレシートは、トイレシート抑え板ｃの端を挟んで折り曲げておくと、敷いた後、シートが安定する。又、万一トイレシートの端から尿が多少あふれた場合でも、トイレシートの吸収面が床に接しているので、トイレシート抑え板ｃの裏側に廻った尿を吸収できる。
【００１７】
図３はトイレ器具全体の斜視図であり、高さの低い凹部（入り口）を備える前壁１、高さの高い側壁２及び後壁３で側面を囲まれ、底板４が配設されている。入り口の内側には跨ぎ台ｂが、外側にはトイレシート抑え板ｃ（７）が配設されている。
【００１８】
図４はトレーａの外観を示し、図５は跨ぎ台ｂを示すが、跨ぎ台ｂの幅は犬の固体及び犬種により決定される。本考案では２本の跨ぎ台支柱と１枚の天板から成るが一体成型でももちろん可能である。
【００１９】
図６はトイレシート抑え板ｃであるが、幅は犬の固体及び犬種により決定される。本例ではヒンジ（蝶番）８によって開閉されるようになっている。
【００２０】
本考案は木材とプラスチックボード及びヒンジからなるが、全体をプラスチック成型により作成することも可能である。
【符号の説明】
【００２１】
ａ    トレー
ｂ    跨ぎ台
ｃ    トイレシート抑え板
１    前壁
２    側壁
３    後壁  
４    底板
５    跨ぎ台天板
６    跨ぎ台支柱
７    トイレシート抑え板
８    ヒンジ（蝶番）
【図１】
0003186850.tif 000003
【図２】
0003186850.tif 000004
【図３】
0003186850.tif 000005
【図４】
0003186850.tif 000006
【図５】
0003186850.tif 000007
【図６】
0003186850.tif 000008
【手続補正書】
【提出日】平成25年9月2日(2013.9.2)
【手続補正１】
【補正対象書類名】実用新案登録請求の範囲
【補正対象項目名】全文
【補正方法】変更
【補正の内容】
【実用新案登録請求の範囲】
【請求項１】
底板（４）と、前記底板（４）を囲繞するように立設された前壁（１）、後壁（３）及び側壁（２）と、からなる室内犬用トイレ器具であって、
前記前壁（１）は、室内犬の入口用として、前記後壁（３）及び前記側壁（２）よりも高さを低く設け、
前記前壁（１）の内側には、前記室内犬用の跨ぎ台（ｂ）を設け、
前記前壁（１）の外側には、トイレシート抑え板（７）を設け、
前記トイレシート抑え板（７）により、前記トイレシート抑え板（７）上に敷設したトイレシートを保持する事を特徴とする室内犬用トイレ器具。
【請求項２】
前記トイレシート抑え板（７）は、前記前壁（１）の外側に、蝶番（８）又は弾性体により上下方向へ回動可能に接続し、前記トイレシート抑え板（７）上に敷設された前記トイレシートの一端側を折り曲げて、前記トイレシート抑え板（７）により床面との間に保持し、前記トイレシートの他端を前記跨ぎ台（ｂ）方向へ敷設する、請求項１に記載の室内犬用トイレ器具。
【請求項３】
前記跨ぎ台（ｂ）は、前記前壁（１）の内側に沿った一辺と、前記前壁（１）の内側とは平行に形成された他の一辺とを対辺として含む長方形状の跨ぎ台天板（５）を有する、請求項１又は２に記載の室内犬用トイレ器具。
【請求項４】
前記跨ぎ台（ｂ）と前記前壁（１）とは同程度の高さを有する、請求項１乃至３の何れか１項に記載の室内犬用トイレ器具。
【請求項５】
前記跨ぎ台（ｂ）の高さは、本考案を適用する犬種に属する前記室内犬の四肢起立時の床から胸までの高さのおよそ１／２である請求項１乃至４の何れか１項に記載の室内犬用トイレ器具。
【請求項６】
前記跨ぎ台（ｂ）の幅は、本考案を適用する犬種に属する前記室内犬の体長のおよそ１／６である、請求項１乃至５のいずれか１項に記載の室内犬用トイレ器具。